(57)【要約】【課題】車室内で空調風を利用して揮発性薬剤を拡散させる場合に、空調性能の低下を抑制し、しかも、低騒音化を図りながら、薬剤による効果を車室の全体で十分に得ることができるようにする。【解決手段】空気中で揮発する揮発性薬剤を揮発可能な状態で保持する板状の薬剤保持部１０と、薬剤保持部１０を車両のエアコンの空気吹出口１０１に着脱自在に取り付ける本体部２０とを備え、薬剤保持部１０の延びる方向は、空気吹出口１０１から吹き出す空気の流れ方向に沿うように設定されている。【選択図】図１
2014094619.tif 000002
【特許請求の範囲】
【請求項１】
空気中で揮発する揮発性薬剤を揮発可能な状態で保持する板状の薬剤保持部と、
上記薬剤保持部を車両のエアコンの空気吹出口に着脱自在に取り付ける本体部とを備え、車室に上記薬剤を放散するように構成された車両用薬剤放散器において、
上記薬剤保持部の延びる方向は、上記空気吹出口から吹き出す空気の流れ方向に沿うように設定されていることを特徴とする車両用薬剤放散器。
【請求項２】
請求項１に記載の車両用薬剤放散器において、
上記薬剤保持部は、液体の薬剤を収容する容器と、該容器の開放部分を覆うとともに、気化した薬剤を透過させ、かつ、液体の薬剤を透過させない揮発薬剤透過フィルムとを備えており、
上記揮発薬剤透過フィルムの延びる方向が上記空気吹出口から吹き出す空気の流れ方向に沿うように設定されていることを特徴とする車両用薬剤放散器。
【請求項３】
請求項２に記載の車両用薬剤放散器において、
上記本体部は、上記薬剤保持部の周縁部を保持する枠状に形成されるとともに、該薬剤保持部の厚み方向に分割された第１部材及び第２部材を一体化して構成されていることを特徴とする車両用薬剤放散器。
【発明の詳細な説明】
【技術分野】
【０００１】
本発明は、例えば自動車等の車室内で使用される薬剤放散器に関するものである。
【背景技術】
【０００２】
従来より、特許文献１、２に開示されているように、エアコンの空気吹出口に設けられたルーバーに着脱自在に取り付けられる器具が知られている。特許文献１の器具は、板状のフィルタを、空気吹出口を覆うように配置した状態でフィルタ枠に保持し、このフィルタ枠を挟み片によってルーバーに着脱可能に取り付けるように構成されている。特許文献２の器具は、板状の本体を、空気吹出口を覆うように配置して弾性舌片によってルーバーに着脱可能に取り付けるように構成されている。特許文献１、２には、器具に芳香剤を保持させることも開示されている。
【先行技術文献】
【特許文献】
【０００３】
【特許文献１】特開平１０−１２９３２４号公報
【特許文献２】実開平７−１３６０１号公報
【発明の概要】
【発明が解決しようとする課題】
【０００４】
ところで、近年、車室内の環境改善に対する要望が強く、例えば、特許文献１、２のような器具を用いて芳香剤のみならず、脱臭剤や害虫忌避剤等の揮発性薬剤を車室内において十分に拡散させたいという要求がある。
【０００５】
しかしながら、特許文献１の器具ではフィルタがエアコンの空気吹出口を覆うように配置されるものであり、また、特許文献２の器具では本体部が同様に空気吹出口を覆うように配置される。
【０００６】
エアコンの空気吹出口は、車室内の空調性能を最も高めることができるように位置や開口面積等が設定されており、この空気吹出口を特許文献１、２の器具で覆ってしまうと、空気吹出口からの吹出空気量が減少したり、ルーバーによる風向調整作用が低下してしまい、ひいては空調性能が低下してしまうという問題がある。また、空気吹出口を特許文献１、２の器具で覆ってしまうと、空調風が特許文献１、２の器具に衝突して風切り音が大きくなるという懸念もある。このような問題は、乗員の上半身に向けて直接的に空調風を吹き出すベント吹出口に特許文献１、２の器具を取り付ける場合に特に顕著なものとなる。
【０００７】
さらに、揮発性薬剤を特許文献１、２の器具で拡散させる場合に空気吹出口を覆って吹出空気の流れを阻害してしまうと、薬剤が吹出空気に乗って車室に行き渡りにくくなり、薬剤の効果が車室の全体で得られにくくなる場合もある。
【０００８】
本発明は、かかる点に鑑みてなされたものであり、その目的とするところは、車室内で空調風を利用して揮発性薬剤を拡散させる場合に、空調性能の低下を抑制し、しかも、低騒音化を図りながら、薬剤による効果を車室の全体で十分に得ることができるようにすることにある。
【課題を解決するための手段】
【０００９】
上記目的を達成するため、本発明では、揮発性薬剤を保持する薬剤保持部を、空気吹出口から吹き出す空気流を阻害しないように配置した。
【００１０】
第１の発明は、空気中で揮発する揮発性薬剤を揮発可能な状態で保持する板状の薬剤保持部と、
上記薬剤保持部を車両のエアコンの空気吹出口に着脱自在に取り付ける本体部とを備え、車室に上記薬剤を放散するように構成された車両用薬剤放散器において、
上記薬剤保持部の延びる方向は、上記空気吹出口から吹き出す空気の流れ方向に沿うように設定されていることを特徴とするものである。
【００１１】
この構成によれば、薬剤保持部を板状とし、その薬剤保持部の延びる方向が吹出空気の流れ方向に沿っているので、従来のように空気吹出口を覆うように配置する場合に比べて、吹出空気の減少を抑制することが可能になる。さらに、ルーバーによって吹出方向が調整された吹出空気を板状の薬剤保持部によって所望方向にスムーズに案内することも可能になるので、ルーバーによる風向調整作用が増大する。これらのことにより、空調性能の低下が抑制される。また、薬剤保持部が吹出空気を案内することで、風切り音を低減させることも可能になる。
【００１２】
そして、薬剤保持部が吹出空気の流れを阻害しないので、薬剤が吹出空気に乗って車室の全体に行き渡り易くなり、薬剤の効果が車室の全体で得られるようになる。
【００１３】
第２の発明は、第１の発明において、
上記薬剤保持部は、液体の薬剤を収容する容器と、該容器の開放部分を覆うとともに、気化した薬剤を透過させ、かつ、液体の薬剤を透過させない揮発薬剤透過フィルムとを備えており、
上記揮発薬剤透過フィルムの延びる方向が上記空気吹出口から吹き出す空気の流れ方向に沿うように設定されていることを特徴とするものである。
【００１４】
この発明によれば、吹出空気が揮発薬剤透過フィルムの表面に沿って流れることになり、このときに揮発薬剤透過フィルムから放出される薬剤が吹出空気に混ざりやすくなる。これにより、薬剤が車室の全体により一層行き渡りやすくなる。
【００１５】
第３の発明は、第２の発明において、
上記本体部は、上記薬剤保持部の周縁部を保持する枠状に形成されるとともに、該薬剤保持部の厚み方向に分割された第１部材及び第２部材を一体化して構成されていることを特徴とするものである。
【００１６】
この構成によれば、薬剤保持部を本体部に保持する際に、第１部材及び第２部材の間に薬剤保持部材を配置した後、第１部材及び第２部材を一体化することで容易に保持することが可能になる。
【発明の効果】
【００１７】
第１の発明によれば、薬剤保持部の延びる方向を、空気吹出口から吹き出す空気の流れ方向に沿うようにしたので、空調性能の低下を抑制できるとともに、低騒音化を図ることもでき、さらに、薬剤による効果を車室の全体で十分に得ることができる。
【００１８】
第２の発明によれば、薬剤保持部の揮発薬剤透過フィルムの延びる方向を吹出空気の流れ方向に沿うようにしたので、揮発薬剤透過フィルムから放出される薬剤が吹出空気に混ざりやすくなる。これにより、薬剤が車室の全体により一層行き渡りやすくなり、薬剤の効果をより一層高めることができる。
【００１９】
第３の発明によれば、薬剤保持部を本体部に容易に保持させることができる。
【図面の簡単な説明】
【００２０】
【図１】本発明の実施形態に係る車両用薬剤放散器の使用状態を示す斜視図である。
【図２】車両用薬剤放散器の側面図である。
【図３】車両用薬剤放散器の斜視図である。
【図４】図２のIV−IV線断面図である。
【図５】車両用薬剤放散器を挟持部側から見た正面図である。
【発明を実施するための形態】
【００２１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２２】
図１は、本発明の実施形態に係る車両用薬剤放散器１の使用状態を示す斜視図である。車両用薬剤放散器１は、自動車の車室内で使用されるものであり、この実施形態では、インストルメントパネル１００のエアコンのベント吹出口１０１が有するルーバー１０２に着脱可能に取り付けられて使用される。すなわち、インストルメントパネル１００には、主に乗員の上半身に空調風を供給するためのベント吹出口１０１が設けられている。ベント吹出口１０１は、車幅方向中央部のセンタベント吹出口の他、車幅方向端部のサイドベント吹出口もあり、車両用薬剤放散器１はいずれの吹出口にも取り付けることができる。
【００２３】
ベント吹出口１０１のルーバー１０２は、吹出空気の流れを上下方向及び車幅方向に調整可能にするための風向調整器であり、複数の板材を組み合わせて構成されている。ルーバー１０２の一部には、乗員がルーバー１０２の角度を調整する際に摘む摘み部１０２ａが設けられている。
【００２４】
車両用薬剤放散器１は、図２や図３にも示すように、空気中で揮発する揮発性薬剤を揮発可能な状態で保持する板状の薬剤保持部１０と、薬剤保持部１０をベント吹出口１０１に着脱自在に取り付ける樹脂製の本体部２０とを備えている。薬剤保持部１０は、図４に示すように全体として板状に形成されており、その平面視では図２に破線で示すように略円形となっている。
【００２５】
図４に示すように、薬剤保持部１０は、液体の薬剤Ａを収容する容器１１と、容器１１の開放部分を覆うとともに、気化した薬剤を透過させ、かつ、液体の薬剤Ａを透過させない揮発薬剤透過フィルム１２とを備えている。容器１１の材料としては、例えばポリエチレン‐テレフタラート（ＰＥＴ）等の無色透明な樹脂材を挙げることができる。容器１１は、ＰＥＴ製の板材を加熱プレス成形して得ることができる。
【００２６】
揮発薬剤透過フィルム１２は、半透明の樹脂材からなり、例えば、直鎖状低密度ポリエチレン（ＬＬＤＰＥ）で構成することができる。
【００２７】
また、使用前には、揮発薬剤透過フィルム１２に薬剤非透過シート（図示せず）が貼り付けられており、使用時に薬剤非透過シートを揮発薬剤透過フィルム１２から剥がす。薬剤非透過シートは、揮発した薬剤及び液状の薬剤を通さない性質を有しており、例えば、アルミニウムフィルム、ポリエステルフィルム、ポリアミドフィルム、ポリアセタールフィルム等を挙げることができる。
【００２８】
薬剤Ａは、例えば、殺虫剤または害虫忌避剤と、着色剤と、溶剤とを少なくとも含有している。溶剤は、例えばトランスフルトリン等の殺虫剤、忌避剤及び着色剤を溶解させることができるものである。着色剤は、薬剤Ａを着色するためのものであり、各種色素等を用いることができる。薬剤Ａの色は特に限定されないが、透光性を有する程度に薄く着色するのが好ましい。
【００２９】
また、薬剤Ａは、常温で揮発性を有するものであればよく、特に限定されないが、殺虫剤または害虫忌避剤以外にも、例えば、芳香剤、消臭剤、殺菌剤、防カビ剤等であってもよく、これらを単独または２種類以上組み合わせたものであってもよい。
【００３０】
図１や図２に示すように、本体部２０は、全体として円形の貫通孔２６を有するリング状をなしており、ルーバー１０２を挟持する挟持部２５が周方向の一部から径方向外方へ向けて突出するように形成されている。図４に示すように、本体部２０は、その外周縁に近づくほど厚みが薄くなるように、かつ、内周縁に近づくほど厚みが薄くなるように形成されており、外周縁と内周縁との間の部分が最も厚みが厚くなっている。
【００３１】
図２や図５に示すように、本体部２０の挟持部２５は、互いに所定の間隔を隔てて対向するように位置する第１挟持片２３及び第２挟持片２４を有している。第１挟持片２３及び第２挟持片２４は、扁平状をなし、突出方向先端部に近づくに従って薄くなり、かつ、幅が狭くなっている。また、第１挟持片２３及び第２挟持片２４の基端部は、本体部２０の他の枠状の部分に比べて幅広に形成されている。
【００３２】
第１挟持片２３における第２挟持片２４との対向面２３ａは、薬剤保持部１０の延びる方向と略直交する略平坦面であり、本体部２０の径方向に略真っ直ぐに延びている。また、第２挟持片２４における第１挟持片２３との対向面２４ａは、第１挟持片２３の対向面２３ａと略平行に延びている。図１に示すように対向面２３ａ，２４ａの間にルーバー１０２を挿入することで、対向面２３ａ，２４ａが互いに離れる方向に押されて第１挟持片２３及び第２挟持片２４が弾性変形していき、ルーバー１０２を第１挟持片２３及び第２挟持片２４で挟持することができるようになっている。ルーバー１０２を挟持するようにしているので、車両用薬剤放散器１を取り付ける際や取り外す際に工具や粘着テープ等の固着手段は必要なく、容易に着脱できる。また、対向面２３ａ，２４ａには、滑り止め用の突起等を設けてもよい。
【００３３】
第１挟持片２３及び第２挟持片２４の対向面２３ａ，２４ａの延びる方向を薬剤保持部１０の延びる方向と略直交させ、第１挟持片２３及び第２挟持片２４でルーバー１０２をその厚み方向に挟持するようにしているので、薬剤保持部１０の延びる方向は、ルーバー１０２の向き、即ち、ベント吹出口１０１から吹き出す空気の流れ方向に沿うように設定されることになる。
【００３４】
本体部２０は、薬剤保持部１０の周縁部を保持するように構成されている。本体部２０に保持された薬剤保持部１０は、貫通孔２６内に位置して外部に露出するようになっている。本体部２０は、薬剤保持部１０の厚み方向に分割された第１部材２１及び第２部材２２を一体化して構成されている。本体部２０の分割面は、該本体部２０の幅方向の中央部である。
【００３５】
図４に示すように、第１部材２１と第２部材２２との間には、薬剤保持部１０の周縁部が収容される空間Ｒが形成されている。さらに、貫通孔２６周縁部において第１部材２１と第２部材２２との間には、薬剤保持部１０が嵌るスリット状の隙間が形成されている。
【００３６】
第１部材２１は、全体として第２部材２２側に開放する凹状のリング部材である。この第１部材２１には、第１挟持片２３及び第２挟持片２４の一部を構成する部分が径方向に突出するように一体成形されている。また、第１部材２１の中央部には貫通孔２６を構成する部分が円形に貫通した状態となっている。第２部材２２は第１部材２１と対称形状であり、同様な構造となっている。第１部材２１と第２部材２２とは、外周縁部同士が接着されて一体化している。
【００３７】
次に、上記のように構成された車両用薬剤放散器１を使用する場合について説明する。車両用薬剤放散器１をベント吹出口１０１に取り付ける際には、第１挟持片２３と第２挟持片２４との間にルーバー１０２を挿入していき、第１挟持片２３と第２挟持片２４とが開くように弾性変形させる。この状態で、第１挟持片２３及び第２挟持片２４の対向面２３ａ，２４ａがルーバー１０２を挟持した状態となる。
【００３８】
車両用薬剤放散器１の取り付け状態では、薬剤保持部１０の延びる方向がベント吹出口１０１から吹き出す空気の流れ方向に沿う方向となる。そして、図示しない空調装置から調和空気が送られてくると、ルーバー１０２によって風向調整されてベント吹出口１０１から吹き出す。このとき、板状の薬剤保持部１０がルーバー１０２によって風向調整された吹出空気の流れに沿っているので、従来のようにエアコンの吹出口を覆うように配置する場合に比べて、吹出空気の邪魔にならず、吹出空気量の減少を抑制することが可能になる。さらに、ルーバー１０２によって吹出方向が調整された吹出空気を薬剤保持部１０によって所望方向にスムーズに案内することも可能になるので、ルーバー１０２による風向調整作用が増大する。これらのことにより、空調性能の低下が抑制される。また、薬剤保持部１０が吹出空気を案内することで、風切り音を低減させることも可能になる。
【００３９】
そして、薬剤保持部１０の容器１１内の薬剤Ａは、揮発薬剤透過フィルム１２を透過して外部に放出される。この放出された薬剤は、周囲を流れている吹出空気に混ざって車室の各部に飛んでいく。このとき、薬剤保持部１０が吹出空気の流れを阻害しないので、放出された薬剤は吹出空気に乗って車室の全体に行き渡り易くなり、薬剤の効果が車室の全体で得られるようになる。
【００４０】
容器１１内の薬剤Ａの残量は、容器１１や揮発薬剤透過フィルム１２が透光性を有しているので、外部から容易に把握することが可能である。
【００４１】
以上説明したように、この実施形態に係る車両用薬剤放散器１によれば、薬剤保持部１０の延びる方向を、ベント吹出口１０１から吹き出す空気の流れ方向に沿うようにしたので、空調性能の低下を抑制できるとともに、低騒音化を図ることもでき、さらに、薬剤による効果を車室の全体で十分に得ることができる。
【００４２】
また、薬剤保持部１０の揮発薬剤透過フィルム１２の延びる方向が吹出空気の流れ方向に沿っているので、揮発薬剤透過フィルム１２から放出される薬剤が吹出空気に混ざりやすくなる。これにより、薬剤が車室の全体により一層行き渡りやすくなり、薬剤の効果をより一層高めることができる。
【００４３】
また、車両用薬剤放散器１の製造時、薬剤保持部１０を本体部２０に保持する際に、第１部材２１及び第２部材２２の間に薬剤保持部１０を配置した後、第１部材２１及び第２部材２２を一体化することで容易に保持することができる。
【００４４】
尚、薬剤保持部１０の薬剤Ａが無くなった場合には、車両用薬剤放散器１をルーバー１０２から外して新しいものを装着すればよい。車両用薬剤放散器１をルーバー１０２から外す際には引っ張るたけでよいので、簡単な作業で済む。
【００４５】
また、車両用薬剤放散器１は、ベント吹出口１０１以外にも各部の吹出口に取り付けることもでき、例えば後席用の吹出口に取り付けることもできる。
【００４６】
また、車両用薬剤放散器１は、ルーバー１０２以外にも吹出口１０１の内面に取り付けるようにしてもよい。
【００４７】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００４８】
以上説明したように、本発明に係る車両用薬剤放散器は、例えば自動車のインストルメントパネルのエアコン吹出口に取り付けることができる。
【符号の説明】
【００４９】
１          車両用薬剤放散器
１０        薬剤保持部
１１        ケース
１２        揮発薬剤透過フィルム
２０        本体部
２１        第１部材
２２        第２部材
２５        挟持部
２６        貫通孔
１００      インストルメントパネル
１０１      ベント吹出口
１０２      ルーバー
【図１】
2014094619.tif 000003
【図２】
2014094619.tif 000004
【図３】
2014094619.tif 000005
【図４】
2014094619.tif 000006
【図５】
2014094619.tif 000007